【手続補正書】
【提出日】平成22年9月7日(2010.9.7)
【手続補正１】
【補正対象書類名】特許請求の範囲
【補正対象項目名】全文
【補正方法】変更
【補正の内容】
【特許請求の範囲】
【請求項１】
基板に形成された導電性部と、検査すべき被検査体の電極とを電気的に接続する板状の接触子であって、
湾曲されて前記導電性部に向けられた外面を有する主部と、該主部の先端側に続く先端部であって前記主部の先端側から上方に又は斜め上方に突出する先端部と、前記主部の後端側に続く後端部とを含み、
前記先端部は、当該接触子の厚さ寸法以上に大きく突出されており、また前記被検査体を受けるべく前後方向又は斜め前後方向へ伸びる弧状の先端面を有する、接触子。
【請求項２】
前記先端面は、当該接触子の厚さ寸法以下の曲率半径を有する、請求項１に記載の接触子。
【請求項３】
前記先端部は、当該接触子に受けられた被検査体に対し垂直に又は傾斜して伸びる先端領域を有する、請求項２に記載の接触子。
【請求項４】
前記先端領域は、前記前後方向又は前記斜め前後方向における幅寸法が、ほぼ一定の値となる形状、及び前記先端面側ほど小さくなる形状のいずれか一方を有する、請求項３に記載の接触子。
【請求項５】
前記先端領域は、前記前後方向又は前記斜め前後方向における幅寸法が、当該接触子の厚さ寸法より小さいほぼ一定の値となる形状を有する、請求項３に記載の接触子。
【請求項６】
基板に組み付けられて、該基板に形成された導電性部と被検査体の電極とを電気的に接続する装置であって、
水平面内を左右方向へ伸びて下方に開放する溝状の凹所及び前記左右方向に間隔をおいて前記水平面内を前後左右方向へ伸びる複数のスリットであってそれぞれが後端部の側において前記凹所に連通されて少なくとも上方及び下方に開放された複数のスリットを備えるハウジングと、
請求項１から５のいずれか１項に記載の複数の接触子であって、各接触子の、前記外面が前記導電性部に向けられ、前記主部が前記凹所及び前記スリットに受け入れられ、前記先端部が前記電極に相対的に押圧されるように前記スリットから上方に突出され、前記後端部が前記凹所に位置された複数の接触子と、
前記凹所に配置された針押えであって前記接触子の前記外面の一部を前記導電性部に接触させるように前記接触子の前記外面と反対側の箇所に当接する針押えとを含む、電気的接続装置。
【請求項７】
前記凹所は、少なくとも後方側内向き面であって上方ほど前方となる状態に水平面及び垂直面の両者に対し傾斜された傾斜面を有する後方側内向き面を備え、
各接触子の後端部は、前記後方側内向き面に向けられて少なくとも一部において前記傾斜面に当接された後端を有する、請求項６に記載の電気的接続装置。
【請求項８】
各接触子の前記後端は、前記後方側内向き面の前記傾斜面と対向された傾斜面であって上方ほど前方となる状態に前記水平面及び前記垂直面の両者に対し傾斜された傾斜面を有する、請求項７に記載の電気的接続装置。
【請求項９】
前記後方側内向き面の前記傾斜面と各接触子の前記傾斜面とは、前記先端面と前記電極とが押圧されない状態において当接されており、各接触子の前記後端の下方の隅角部は、弧状に湾曲されている、請求項８に記載の電気的接続装置。
【請求項１０】
前記凹所の前記後方側内向き面は、さらに、前記接触子が前記凹所から脱落することを各接触子の前記後端部と共同して防止する脱落防止部を前記傾斜面の上方に有する、請求項８に記載の電気的接続装置。
【請求項１１】
前記脱落防止部は、上方ほど後方となるように当該脱落防止部の前記傾斜面の上端から後退された係合面を含み、各接触子の前記後端は、前記係合面に係合可能に後方に突出する凸部を当該接触子の前記傾斜面の上部に有する、請求項１０に記載の電気的接続装置。
【請求項１２】
基板に組み付けられて、該基板に形成された導電性部と被検査体の電極とを電気的に接続する装置であって、
水平面内を左右方向へ伸びて下方に開放する溝状の凹所及び前記左右方向に間隔をおいて前記水平面内を前後第２の方向へ伸びる複数のスリットであってそれぞれが後端部の側において前記凹所に連通されて少なくとも上方及び下方に開放された複数のスリットを備えるハウジングと、
それぞれが前記ハウジングに配置されて前記導電性部と前記電極とを電気的に接続する板状の複数の接触子であってそれぞれが、湾曲されて前記導電性部に向けられた外面を有しかつ前記凹所及び前記スリットに受け入れられた主部、該主部の先端側に続く先端部であって前記電極に相対的に押圧されるように前記スリットから上方又は斜め上方に突出する先端部、及び前記主部の後端側に続く後端部であって前記凹所に位置された後端部を備える複数の接触子と、
前記凹所に配置された針押えであって前記接触子の前記外面の一部を前記導電性部に接触させるように前記接触子の前記外面と反対側の箇所に当接する針押えとを含み、
各接触子の前記先端部は、当該接触子の厚さ寸法以上に大きく前記スリットから上方に突出されており、また前記前後方向又は斜め前後方向へ伸びる弧状の先端面を有する、電気的接続装置。
【手続補正２】
【補正対象書類名】明細書
【補正対象項目名】０００４
【補正方法】変更
【補正の内容】
【０００４】
特許文献１に記載された電気的接続装置は、配線パターンの配線の一部のような帯状の複数の導電性部を電気絶縁性の板部材の上面に有する基板に組み付けられる板状のハウジングと、該ハウジングに並列的に配置されて基板の導電性部と被検査体の電極とを電気的に接続する板状の複数の接触子と、該接触子の配列方向へ伸びるようにハウジングに配置された棒状の針押えとを含む。
【手続補正３】
【補正対象書類名】明細書
【補正対象項目名】００１９
【補正方法】変更
【補正の内容】
【００１９】
本発明に係る電気的接続装置は、水平面内を左右方向へ伸びて下方に開放する溝状の凹所及び前記左右方向に間隔をおいて前記水平面内を前後方向へ伸びる複数のスリットであってそれぞれが後端部の側において前記凹所に連通されて少なくとも上方及び下方に開放された複数のスリットを備えるハウジングと、上記のような複数の接触子であって、各接触子の、前記外面が前記導電性部に向けられ、前記主部が前記凹所及び前記スリットに受け入れられ、先端部が前記電極に相対的に押圧されるように前記スリットから上方に突出され、前記後端部が前記凹所に位置された複数の接触子と、前記凹所に配置された針押えであって前記接触子の前記外面の一部を前記導電性部に接触させるように前記接触子の前記外面と反対側の箇所に当接する針押えとを含む。
【手続補正４】
【補正対象書類名】明細書
【補正対象項目名】００２５
【補正方法】変更
【補正の内容】
【００２５】
前記ハウジングは、さらに、上方に開放する開口であってこれの下端部において前記スリットの上部に連通された開口を有することができる。この場合、各接触子は前記先端部を前記開口に突出させていてもよい。
【手続補正５】
【補正対象書類名】明細書
【補正対象項目名】００２７
【補正方法】変更
【補正の内容】
【００２７】
本発明によれば、接触子の弧状の先端面を有する先端部が当該接触子の厚さ寸法以上に大きく上方に突出されているから、被検査体を受けるべくハウジングに配置された状態においても、先端部が当該接触子の厚さ寸法以上に大きく上方に突出される。
【手続補正６】
【補正対象書類名】明細書
【補正対象項目名】００３０
【補正方法】変更
【補正の内容】
【００３０】
各接触子の先端部が当該接触子に受けられた被検査体に対し垂直に伸びる先端領域を有していると、先端部が被検査体に対し後端部の側と反対の側に傾斜して斜め上方へ伸びる先端領域を有する場合に比べ、削り屑が先端部及びその近傍からより確実に落下し、接触子の先端面及びその近傍への削り屑の蓄積がより確実に低減され、接触子と電極との間の接触抵抗がより確実に低減されて、より正しい通電試験が確実に行われる。
【手続補正７】
【補正対象書類名】明細書
【補正対象項目名】００６６
【補正方法】変更
【補正の内容】
【００６６】
先端部５２は接触子の厚さ寸法Ｔより大きい突出寸法Ｈだけ主部５０から突出しており、先端面６６は厚さ寸法Ｔより小さい曲率半径Ｒを有し、先端領域５２ｂは厚さ寸法Ｔより小さい第２の方向における幅寸法Ｗを有する。
【手続補正８】
【補正対象書類名】明細書
【補正対象項目名】００６８
【補正方法】変更
【補正の内容】
【００６８】
特に、厚さ寸法Ｔは、被検査体１２の電極１６の配置ピッチにより、大きく異なる。
【手続補正９】
【補正対象書類名】明細書
【補正対象項目名】００９７
【補正方法】変更
【補正の内容】
【００９７】
垂直面に対する接触子２８の傾斜部６０の角度は、垂直面に対する傾斜面４２ａの角度と同じであってもよいし、それより大きくてもよい。すなわち、垂直面に対する傾斜部６０の角度は、垂直面に対する傾斜面４２ａの角度以上であればよい。また、斜め下向きの傾斜面を有する傾斜部６０を接触子２８の後端に形成する代わりに、対応する箇所を弧状の凹面としてもよい。
【手続補正１０】
【補正対象書類名】明細書
【補正対象項目名】０１１５
【補正方法】変更
【補正の内容】
【０１１５】
図８に示す実験結果から、先端面の変位量Ｌｃ，Ｌｄ及びＬｅは、先端面６６ｃを有する先端部がＬｃ＝０．０８６ｍｍと最も大きく、次いで先端面６６ｄを有する先端部がＬｄ＝０．０６ｍｍと大きく、先端面６６ｅを有する先端部がＬｅ＝０．０５８ｍｍと最も小さいことが明らかになった。
【手続補正１１】
【補正対象書類名】明細書
【補正対象項目名】０１２４
【補正方法】変更
【補正の内容】
【０１２４】
【図１】図１は、本発明に係る電気的接続装置の一実施例を示す平面図である。
【図２】図１における２−２線に沿って得た断面図である。
【図３】図１に示す接続装置のガイド板を外した状態の平面図である。
【図４】図１に示す接続装置の接触子近傍の拡大底面図である。
【図５】図１における５−５線に沿って得た拡大断面図であって、接触子にオーバードライブを作用させた状態とさせない状態とを示し（Ａ）は接触子の先端が摩耗していない状態を示し、（Ｂ）は接触子の先端が摩耗した状態を示す。
【図６】図１に示す電気的接続装置で用いる接触子の位置実施例を示す図でって、（Ａ）は正面図であり、（Ｂ）は平面図である。
【図７】被検査体の電極に対する各種の先端部を有する接触子の先端面の変位量の実験結果を示す図である。
【図８】被検査体の電極に対する他の各種の先端部を有する接触子の先端面の変位量の実験結果を示す図である。